(57)【要約】      （修正有）【課題】軽量で取扱性に優れ、反りや捻れに対する高い剛性が得られ、組立作業が容易であり、また、表面形態の多様化が可能であってデザイン性に優れたドアパネルを提供する。【解決手段】ドアパネル１０は、上下方向に並列状に配された複数枚のパネル部材２１によって前面が構成されるパネル本体２と、金属形材よりなりかつパネル本体２の左右縁部にそれぞれ嵌合固定される１対の垂直なフレーム３とを備える。各フレーム３は、パネル本体２後面の左右各縁部に配される偏平中空状の芯部３１と、芯部３１の前壁における左右方向外側の縁部に連なって設けられかつパネル本体２の左右各縁部が嵌め入れられるパネル本体保持部３２とを有する。【選択図】図１
2009019395.tif 000002
【特許請求の範囲】
【請求項１】
上下方向に並列状に配された複数枚のパネル部材によって少なくとも前面が構成されるパネル本体と、金属形材よりなりかつパネル本体の左右縁部にそれぞれ嵌合固定される１対の垂直なフレームとを備えてなり、
各フレームは、パネル本体後面の左右各縁部に配される偏平中空状の芯部と、芯部の前壁における左右方向外側の縁部に連なって設けられかつパネル本体の左右各縁部が嵌め入れられるパネル本体保持部とを有していることを特徴とする、ドアパネル。
【請求項２】
パネル本体が、全てのパネル部材の後面にまたがって接合される木質裏板を更に備えていることを特徴とする、請求項１記載のドアパネル。
【請求項３】
上下に隣り合うパネル部材どうしが非接着となされていることを特徴とする、請求項１または２記載のドアパネル。
【請求項４】
各フレームのパネル本体保持部が、左右方向内側に向かって斜め前方にのびかつ先端にパネル本体の前面と係合するように折れ曲がった係合縁を有する傾斜壁と、パネル本体の左右各端面を受けられるように傾斜壁の基端に対して左右方向内側に間隔をおいて前方突出状に設けられたリブとで構成されていることを特徴とする、請求項１〜３のいずれか１つに記載のドアパネル。
【請求項５】
各フレームが、芯部における左右方向外側の端壁に、パッキンが嵌め入れられる垂直な凹溝を有していることを特徴とする、請求項１〜４のいずれか１つに記載のドアパネル。
【請求項６】
各フレームが、芯部の前壁と連続するように左右方向内側に向かってのびかつ各フレームをパネル本体に固定するネジが貫通させられる略垂直板状の取付部を更に備えていることを特徴とする、請求項１〜５のいずれか１つに記載のドアパネル。
【発明の詳細な説明】
【技術分野】
【０００１】
本発明は、開き戸、折り戸等のドアに関し、より詳細には、クローゼット、物入れ、シューズボックス等の収納スペースを開閉する収納ドアの構成部材として好適に用いられるドアパネルに関する。
【背景技術】
【０００２】
収納ドア用のドアパネルとして、パネル本体と、パネル本体の上下左右または左右の縁部に嵌合固定された木製框材とを備えたものが一般に知られている。ここで、パネル本体としては、合板等よりなる芯材の前後両面または前面に、突板、化粧シート等の化粧材を接合してなるものが通常用いられている。また、框材の材料としては、無垢材や圧縮材が用いられている（下記特許文献１参照）。
しかしながら、上記ドアパネルの場合、框材が木製であるため、反りや捻れに対する剛性が不十分となり、また、ドアパネル全体の重量が大きくなって取扱性が低下する、という問題があった。
【０００３】
一方、框材をアルミニウム等の金属材によって形成したドアパネルも提案されている。
金属製框材としては、例えば、パネル本体の木口部を覆う側壁部と、パネル本体前面の縁部を覆う前壁部とを備えた断面略Ｌ形のものが知られている（下記特許文献２参照）。この框材を使用した場合、ドアパネル全体の軽量化には寄与するものの、反りや捻れを抑えるには剛性が十分とは言えなかった。
また、略方形の断面を有しかつパネル本体の縁部が嵌め入れられる溝が左右方向内側の壁に形成されている中空状の金属製框材も提案されている（下記特許文献３参照）。この框材によれば、ドアパネルの剛性の向上を期待することができるが、その反面、構造上、常に四方框にする必要があるため、組立作業に手間がかかる上、ドアパネル全体の軽量化についても十分な効果が得られなかった。加えて、上記框材の場合、パネル本体よりも前方に大きく飛び出すため、収納ドアをフラットなデザインにすることができなかった。
【０００４】
更に、従来のドアパネルの場合、パネル本体の前面が１枚の連続した材料によって構成されているため、表面形態が一様となり、デザイン性に欠けるきらいがあった。
【特許文献１】特開平８−２２６２８５号公報
【特許文献２】特開平８−９３３４１号公報
【特許文献３】登録実用新案第３０５５８９１号公報
【発明の開示】
【０００５】
本発明の目的は、軽量で取扱性に優れ、反りや捻れに対する高い剛性が得られ、組立作業が容易であり、また、表面形態の多様化が可能であってデザイン性に優れたドアパネルを提供することにある。
【０００６】
本発明によるドアパネルは、上下方向に並列状に配された複数枚のパネル部材によって少なくとも前面が構成されるパネル本体と、金属形材よりなりかつパネル本体の左右縁部にそれぞれ嵌合固定される１対の垂直なフレームとを備えてなる。各フレームは、パネル本体後面の左右各縁部に配される偏平中空状の芯部と、芯部の前壁における左右方向外側の縁部に連なって設けられかつパネル本体の左右各縁部が嵌め入れられるパネル本体保持部とを有している。
なお、本発明によるドアパネルを特定するにあたり、フレームについて、「左右方向外側」とは、左右のうちドアパネルの幅中央から離れる方向を指し、「左右方向内側」とは、左右のうちドアパネルの幅中央に近づく方向を指している。
【０００７】
本発明のドアパネルは、パネル本体の左右両縁部にフレームが嵌合固定されてなるので、組立作業が容易である。また、本発明のドアパネルによれば、各フレームが、金属形材製であって、偏平中空状の芯部とパネル本体保持部とを有しているので、軽量で取り扱い易く、しかも、剛性に優れていて反りや捻れが生じにくい上、丁番、上部吊り車、下部ガイド等の金具を取り付けるための加工や取付作業が容易となる。さらに、本発明のドアパネルによれば、パネル本体の前面が、上下方向に並列状に配された複数枚のパネル部材によって構成されるので、横縞状の斬新な表面形態が得られ、また、パネル部材として表面の色柄や上下幅が異なるものを適宜組み合わせれば、容易にデザインの多様化を図ることができる。加えて、本発明のドアパネルの場合、各フレームは、その芯部がパネル本体の後面に隠れており、芯部の縁部に連なるパネル本体保持部がパネル本体の縁部から僅かに露出するだけであるので、ほぼフラットなデザインとなる。
【０００８】
本発明のドアパネルにおいて、好ましくは、パネル本体が、全てのパネル部材の後面にまたがって接合される木質裏板を更に備えている。
【０００９】
上記態様によれば、木質裏板によって複数枚のパネル部材が一体化されるので、ドアパネルの組立作業が容易となり、また、パネル本体の強度も向上する。
【００１０】
本発明によるドアパネルにおいて、上下に隣り合うパネル部材どうしが非接着となされている場合がある。
【００１１】
上記態様によれば、パネル部材どうしが接着されないため、パネル本体全体としての反りを防止することができる。
【００１２】
本発明のドアパネルにおいて、各フレームのパネル本体保持部が、左右方向内側に向かって斜め前方にのびかつ先端にパネル本体の前面と係合するように折れ曲がった係合縁を有する傾斜壁と、パネル本体の左右各端面を受けられるように傾斜壁の基端に対して左右方向内側に間隔をおいて前方突出状に設けられたリブとで構成されている場合がある。
【００１３】
上記態様のドアパネルは、特に折り戸用のドアパネルとして好適に使用することができる。即ち、各フレームのパネル本体保持部が上記のような傾斜壁を有していれば、折り戸を構成する複数枚のドアパネルが収納スペースの間口を閉鎖する方向にスライドさせられながら同一垂直面上に並ぶように回動させられた際に、隣接するドアパネルどうしの間にＶ形の隙間が生じるため、手指等を挟んで怪我をするおそれがなく、安全に使用することができる。また、パネル本体保持部を、先端に係合縁を有する傾斜壁とリブとで構成したので、必要以上にパネル本体保持部の寸法を大きくする必要がなく、材料コストの削減および軽量化につながる。
【００１４】
本発明によるドアパネルにおいて、各フレームが、芯部における左右方向外側の端壁に、パッキンが嵌め入れられる垂直な凹溝を有している場合もある。
【００１５】
上記態様の場合、ドアパネルの木口部を構成する金属形材製のフレームに、パッキンを簡単に取り付けることができるので、例えば、折り戸用のドアパネルとして使用した場合に、隣接するドアパネルのフレームどうしが直に接触するのを効果的に防止することができる。
【００１６】
また、本発明によるドアパネルにおいて、各フレームが、芯部の前壁と連続するように左右方向内側に向かってのびかつ各フレームをパネル本体に固定するネジが貫通させられる略垂直板状の取付部を更に備えている場合がある。
【００１７】
上記態様の場合、各フレームのパネル本体への固定を、フレームの取付部からねじ込んだネジによって行うことができるので、作業が簡単である。
【発明を実施するための最良の形態】
【００１８】
次に、図１〜５を参照して、本発明の実施形態の一例を説明する。
なお、以下の説明において、図２〜４それぞれの下を「前」といい、同各図の上を「後」という。また、「左右」は、前から見た場合をいう。
【００１９】
この実施形態は、本発明を、クローゼット等を開閉するための折り戸を構成するドアパネルに適用したものである。
図１および図２に示す折り戸（１）は、丁番（６）によって垂直軸周りに回動自在に連結された２枚のドアパネル（１０）よりなる。
【００２０】
ドアパネル（１０）は、パネル本体（２）と、パネル本体（２）の左右縁部にそれぞれ嵌合固定される１対の垂直なフレーム（３）とを備えてなる。
ドアパネル（１０）の寸法は、例えば、厚さ約２０〜４５ｍｍ、横幅約３００〜１０００ｍｍ、高さ約３００〜２５００ｍｍとなされるが、これらに限定されるものではない。
【００２１】
パネル本体（２）は、上下方向に並列状に配された複数枚（図１では７枚）のパネル部材（２１）と、全てのパネル部材（２１）の後面にまたがって接合された木質裏板（２２）とで構成されている。
【００２２】
パネル部材（２１）の寸法は、例えば、厚さ約６〜３０ｍｍ、横幅約３００〜１０００ｍｍ、高さ約１５０〜６００ｍｍとなされるが、これらに限定されるものではない。
パネル部材（２１）は、通常、木質基材と、木質基材の前面に設けられた化粧層とで構成される。木質基材の材料としては、例えば、合板、ＭＤＦ、無垢材、ＬＶＬを挙げることができる。化粧層は、通常、木質基材の前面に化粧材を積層することによって形成される。化粧材には、例えば、突板の表面に塗装を施したもの、樹脂シート、印刷紙、人工突板の表面に印刷を施したもの、無垢板の表面に塗装を施したものが用いられる。また、木質基材の前面に直接施された印刷層や塗装層によって化粧層を形成することも可能である。
上下に隣り合うパネル部材（２１）どうしは、突き付けとする他、本実、雇い実、相じゃくり等の継手加工部を形成して嵌合させるようにしてもよい。
また、上下に隣り合うパネル部材（２１）どうしは、接着、非接着のいずれでもよい。もっとも、パネル部材（２１）どうしを接着した場合には、パネル本体全体としての反りが生じやすくなるため、反りを防止する点では、非接着の方が好ましい。
なお、この実施形態では、全てのパネル部材（２１）が同一の寸法および同一の表面形態を有するものとなっているが、寸法（高さ）および表面形態（化粧層の構成要素）のうち少なくとも一方が異なる数種類のパネル部材（２１）を組み合わせて使用することも可能である。
【００２３】
木質裏板（２２）の寸法は、パネル部材（２１）の寸法や枚数等に応じて適宜に決定されるが、例えば、厚さ約２〜１５ｍｍ、横幅約３００〜１０００ｍｍ、高さ約３００〜２５００ｍｍとなされる。
木質裏板（２２）の材料としては、合板、ＭＤＦ、ＬＶＬ等が挙げられる。
パネル部材（２１）の後面に木質裏板（２２）を接合する手段としては、例えば、接着剤、粘着剤、両面粘着テープ等が用いられる。
なお、この実施形態では木質裏板（２２）が使用されているが、木質裏板を使用せずに、パネル部材のみでパネル本体が構成されることもある。
【００２４】
各フレーム（３）は、金属形材製であって、図３に詳しく示すように、パネル本体（２）後面の左右各縁部に配される偏平中空状の芯部（３１）と、芯部（３１）の前壁（３１１）における左右方向外側の縁部に連なって設けられかつパネル本体（２）の左右各縁部が嵌め入れられるパネル本体保持部（３２）と、芯部（３１）の前壁（３１１）と連続するように左右方向内側に向かってのびかつ各フレーム（３）をパネル本体（２）に固定するネジ（４）が貫通させられる略垂直板状の取付部（３３）とを有している。
【００２５】
各フレーム（３）の寸法は、例えば、厚さ（前後幅）約２０〜４５ｍｍ、横幅約５０〜１００ｍｍ、高さ約３００〜２５００ｍｍとなされるが、これらに限定されるものではない。
フレーム（３）を構成する材料としては、軽量であって生産性・加工性に優れたアルミニウム（アルミニウム合金を含む）押出形材が好適に用いられるが、その他の金属形材を使用することも可能である。
【００２６】
フレーム（３）の芯部（３１）は、断面略横長方形であって、前壁（３１１）、後壁（３１２）左右側壁（３１３）（３１４）を有している。
前壁（３１１）の後面には、左右方向外側の縁部寄りに、低い畝部（３１１ａ）が形成されている。
左右方向外側の端壁（３１３）には、垂直凹溝（３１３ａ）が形成されており、この凹溝（３１３ａ）にパッキン（５）が嵌め入れられている。凹溝（３１３ａ）の両側面には、互いに向かい合うように突出した垂直突条（３１３ｂ）が形成されている。パッキン（５）は、略方形の断面を有するゴム製のものであって、その前後面に、凹溝（３１３ａ）内の垂直突条（３１３ｂ）が嵌まる溝（５１）が形成されている。また、パッキン（５）は、その左右方向外側のシール面が、フレーム（３）の端壁（３１３）よりも若干外方に突出して、隣接ドアパネル（１０）のフレーム（３）に同様にして取り付けられているパッキン（５）のシール面と接触しうるように構成されている。
【００２７】
各フレーム（３）のパネル本体保持部（３２）は、左右方向内側に向かって斜め前方にのびかつ先端にパネル本体（２）の前面と係合するように折れ曲がった係合縁（３２１ａ）を有する傾斜壁（３２１）と、パネル本体（２）の左右各端面を受けられるように傾斜壁（３２１）の基端に対して左右方向内側に間隔をおいて前方突出状に設けられたリブ（３２２）とで構成されている。
図２および図３に示すように、折り戸（１）を構成する２枚のドアパネル（１０）がクローゼット等の間口を閉鎖するように同一垂直面上に並んだ状態において、隣接するドアパネル（１０）どうしの間には、傾斜壁（３２１）の存在によって、Ｖ形の隙間（Ｓ）が生じている。従って、使用者が折り戸（１）を閉じる際に、ドアパネル（１０）どうしの間に手指等を挟んで怪我をするおそれがなく、安全である。
【００２８】
フレーム（３）の取付部（３３）は、芯部（３１）の前壁（３１１）の厚みとほぼ同じ厚みを有するとともに、前壁（３１１）の左右幅の約半分の左右幅を有している。取付部（３３）の後面における左右方向内側の縁部には、前壁（３１１）の畝部（３１１ａ）とほぼ同じ突出高さを有する畝部（３３１）が形成されている。取付部（３３）の後面における左右方向外側の縁部寄りには、ネジ（４）の貫通位置を示すとともにネジ（４）のねじ込みを容易にするための浅いＶ溝（３３ａ）が形成されている（図３、４参照）。また、取付部（３３）の畝部（３３１）にも、同様のＶ溝（３３ａ）が形成されている。
【００２９】
フレーム（３）をパネル本体（２）に固定するためのタッピンネジ等のネジ（４）は、例えば、上下方向に約３００ｍｍ間隔おきにねじ込まれるが、パネル本体（２）およびフレーム（３）の寸法・材料やネジ（４）の種類等に応じて適宜に変更可能である。
なお、この実施形態では、組立および分解の容易性に鑑みて、パネル本体（２）へのフレーム（３）の固定をネジ（４）によって行っているが、これに代えて、または、これに加えて、接着剤や両面粘着テープ等の他の固定手段を用いてもよい。
【００３０】
折り戸（１）を構成する２枚のドアパネル（１０）は、図１に示すように、複数（図１では３つ）の丁番（６）によって、垂直軸周りに回動自在に連結されている。丁番（６）は、両ドアパネル（１０）における隣接するフレーム（３）の所要高さ位置に、ビスによって取り付けられている。なお、丁番（６）を取り付けるに当たっては、必要に応じて、フレーム（３）に予め部分的な切除加工が施される（図５参照）。
【００３１】
また、各ドアパネル（１０）には、その上縁部に上部吊り車（７Ａ）が取り付けられ、その下縁部に下部ガイド（７Ｂ）が取り付けられている（図１参照）。
図４は、ドアパネル（１０）の上縁部に上部吊り車（７Ａ）が取り付けられた状態を示すものである。上部吊り車（７Ａ）は、ドアパネル（１０）に固定されるカップ（７１）と、カップ（７１）に着脱自在に取り付けられるホルダ（７２）と、ホルダ（７２）の上部に垂直連結軸（７３）を介して回転自在に取り付けられかつ上レール（図示略）を走行する複数のローラ（７５）を有する走行体（７４）（図１参照）とを備えている。
カップ（７１）は、後面に開口しかつ内部にホルダ（７２）が収容される断面略コ字形の収容部（７１１）と、収容部（７１１）における左右側壁の後縁部から左右方向外側に張り出しかつネジ挿通孔を有する左右１対の垂直板状フランジ部（７１２）とよりなる。
上部吊り車（７Ａ）をドアパネル（１０）に取り付けるに当たっては、カップ（７１）の前方凸状収容部（７１１）をドアパネル（１０）の後面に埋め込むために、フレーム（３）およびパネル本体（２）の所要箇所に予め部分的な切除加工が施される。そして、カップ（７１）のフランジ部（７１２）が、フレーム（３）の左右２つの畝部（３１１ａ）（３３１）の位置で、ネジ（４）によってドアパネル（１０）に固定されている。
【００３２】
下部ガイド（７Ｂ）も、上部吊り車（７Ａ）とほぼ同様のカップ（７１）およびホルダ（７２）を備えるとともに、ホルダ（７２）の下部に垂直連結軸（７３）を介して取り付けられかつ下レール（図示略）内をスライドするコロ（７６）を備えたものであって、上部吊り車（７Ａ）の場合とほぼ同様の手段によって、ドアパネル（１０）の下縁部に取り付けられる。
【００３３】
また、各ドアパネル（１０）には、パネル本体（２）前面の高さ中間位置に、前方凸状に湾曲した棒状の取っ手（８）が水平に取り付けられている（図１参照）。取っ手（８）は、例えば、パネル本体（２）にその後面からねじ込まれたネジ（図示略）によって固定される。
【００３４】
なお、この実施形態のドアパネル（１０）では、パネル本体（２）の上下両縁の木口面が露出したままの状態となっているが、これらの木口面が人目に触れる場所に設置されるドアに適用する場合には、例えば、木口面に化粧テープを貼り付けるようにすればよい。
【００３５】
図５は、折り戸（１）の組立手順の一例を示したものである。
折り戸（１）の組立に際しては、まず、複数枚のパネル部材（２１）を、木質裏板（２２）の前面に、木質裏板の長さ方向に並列状に配されるように接着剤等で接合して、パネル本体（１０）を必要数作成する（図５（ａ）参照）。
次に、パネル本体（１０）の左右縁部にフレーム（３）のパネル本体保持部（３２）を嵌合させた後、フレーム（３）の取付部（３３）からねじ込んだネジ（４）によってパネル本体（２）にフレーム（３）を固定する（図５（ｂ）参照）。
その後、パネル本体（１０）どうしを複数（図５では３つ）の丁番（６）によって回動自在に連結し（図５（ｃ）参照）、さらに、各ドアパネル（１０）に、上部吊り車（７Ａ）、下部ガイド（７Ｂ）および取っ手（８）を取り付ける。
このような簡単な作業により、図１〜４に示す折り戸（１）が得られる。また、この折り戸（１）を使用後に廃棄処分する際には、上記と逆の手順によって構成部品の分離作業を簡単に行うことができる。
【図面の簡単な説明】
【００３６】
【図１】本発明の１実施形態を示すものであって、折り戸の平面図である。
【図２】図１の折り戸の水平断面図である。
【図３】図１の折り戸におけるドアパネルどうしの連結部付近を拡大して示した水平断面図である。
【図４】図１の折り戸において、ドアパネルの上縁部に上部吊り車が取り付けられた状態を示す部分拡大水平断面図である。
【図５】図１の折り戸の組立工程を順次示す斜視図である。
【符号の説明】
【００３７】
（１）：折り戸
（１０）：ドアパネル
（２）：パネル本体
（２１）：パネル部材
（２２）：木質裏板
（３）：フレーム
（３１）：芯部
（３１１）：前壁
（３１３）：左右方向外側の端壁
（３１３ａ）：垂直凹溝
（３２）：パネル本体保持部
（３２１）：傾斜壁
（３２１ａ）：係合縁
（３２２）：リブ
（３３）：取付部
（４）：ネジ
（５）：パッキン
【図１】
2009019395.tif 000003
【図２】
2009019395.tif 000004
【図３】
2009019395.tif 000005
【図４】
2009019395.tif 000006
【図５】
2009019395.tif 000007